(57)【要約】【課題】互いに対応づけられた第１及び第２のシートが表示されてなるサービス提供用シートにおいて、使用前の状態において第１のコードを視認不可能としながらも第２のコードを視認可能な状態とすることができるとともに、第１のコードと第２のコードとのマッチングミスを回避する。【解決手段】表台紙１０と裏台紙２０とが貼着されて構成され、表台紙１０には裏台紙２０から剥離されるコイン２が分離可能に設けられ、コイン２の裏台紙２０との貼着面にＰＩＮコード４ａが表示され、コイン２以外の領域の裏台紙２０との貼着面に、ＰＩＮコード４ａに対応づけられたＰＯＳコード４ｂが表示され、裏台紙２０のＰＯＳコード４ｂに対向する領域に孔部３ｂを有する。【選択図】図２
2015186878.tif 000002
【特許請求の範囲】
【請求項１】
第１のシートと第２のシートとが貼着され、互いに対応づけられた第１及び第２のコードが表示されてなるサービス提供用シートであって、
前記第１のシートは、前記第２のシートから剥離される剥離片部を一部に有し、該剥離片部の前記第２のシートとの貼着面に第１のコードが表示され、前記剥離片部以外の領域の前記第２のシートとの貼着面に第２のコードが表示され、
前記第２のシートは、前記第２のコードに対向する領域に孔部を有するサービス提供用シート。
【請求項２】
請求項１に記載のサービス提供用シートにおいて、
前記第１のシートは、前記剥離片部が前記第２のシートから剥離された状態でも前記剥離片部を当該第１のシートの他の領域と分離せずに連結する連結部を有するサービス提供用シート。
【請求項３】
請求項１または請求項２に記載のサービス提供用シートにおいて、
前記第１のシートは、２枚のシートが貼着されて構成されているサービス提供用シート。
【発明の詳細な説明】
【技術分野】
【０００１】
本発明は、コンピュータネットワーク上の電子店舗にて提供されるサービスの利用代金を、プリペイド方式にて決済するシステムに用いられる、サービス提供用シートに関する。
【背景技術】
【０００２】
近年、コンピュータネットワーク上の電子店舗における買物を、プリペイドカードを用いて利用可能とするシステムが実用化されており、例えば、特許文献１に開示されている。このようなシステムにおいては、プリペイドカードにＩＤ及びこれに対応づけられたＰＯＳコードが表示されており、プリペイドカードが購入される際、プリペイドカードに表示されたＰＯＳコードがＰＯＳレジにて読み取られることによってプリペイドカードが使用可能な状態となる。その後、プリペイドカードを購入した利用者は、プリペイドカードに表示されたＩＤを用いて、電子店舗にて買物を行うことになる。
【０００３】
ここで、上述したようなプリペイドカードを用いたシステムにおいては、ＩＤの不正使用が懸念される。そこで、不正使用を防止するために、プリペイドカードに表示されたＰＩＮコード上にスクラッチ層を設ける技術が考えられており、例えば、特許文献２に開示されている。この技術を用いれば、プリペイドカードが購入される前の状態においては、ＰＩＮコードが隠蔽されていることにより、ＰＩＮコードを用いた不正使用されることが回避される。
【０００４】
ところで、上述したプリペイドカードは、実店舗にて販売される際、台紙に分離可能に一体化して保持されることが好ましい。ここで、台紙上にカードを剥離可能に貼着し、この台紙にカード番号を表示する技術が、例えば、特許文献３に開示されている。この技術を用いれば、カードに対応する情報が表示された台紙にカードを分離可能に保持することができる。
【先行技術文献】
【特許文献】
【０００５】
【特許文献１】特開平１１−２０３５６０号公報
【特許文献２】特表２０１０−５３１０２１号公報
【特許文献３】特開平１１−１１０４９４号公報
【発明の概要】
【発明が解決しようとする課題】
【０００６】
しかしながら、特許文献３に開示されたもののように、カードに対応する情報が表示された台紙に、カードが剥離可能に貼着された状態では、カードに表示されたＰＩＮコード等の識別コードが隠蔽されておらず、識別コードを隠蔽するためには、特許文献２に開示されたもののように識別コード上にスクラッチ層を設けるか、あるいは、カードの台紙との貼着面に識別コードを表示する必要があるが、カードに表示される識別コードと、台紙に表示されるこれに対応するコードとを別々に印刷した場合、これらのコードのマッチングミスが生じる虞れがある。
【０００７】
本発明は、上述したような従来の技術が有する問題点に鑑みてなされたものであって、互いに対応づけられた第１及び第２のシートが表示されてなるサービス提供用シートにおいて、使用前の状態において第１のコードを視認不可能としながらも第２のコードを視認可能な状態とすることができるとともに、第１のコードと第２のコードとのマッチングミスを回避することができるサービス提供用シートを提供することを目的とする。
【課題を解決するための手段】
【０００８】
上記目的を達成するために本発明は、
第１のシートと第２のシートとが貼着され、互いに対応づけられた第１及び第２のコードが表示されてなるサービス提供用シートであって、
前記第１のシートは、前記第２のシートから剥離される剥離片部を一部に有し、該剥離片部の前記第２のシートとの貼着面に第１のコードが表示され、前記剥離片部以外の領域の前記第２のシートとの貼着面に第２のコードが表示され、
前記第２のシートは、前記第２のコードに対向する領域に孔部を有する。
【０００９】
上記のように構成された本発明においては、剥離片部が第２のシートから剥離されていない状態においては、剥離片部の第２のシートとの貼着面に表示された第１のコードが視認不可能な状態となっている。また、第１のコードに対応づけられた第２のコードは、第１のシートの第２のシートとの貼着面に表示されているが、第２のシートの第２のコードに対向する領域に孔部が設けられているため、この孔部を介して視認可能な状態となっている。その後、剥離片部を第２のシートから剥離すると、剥離片部の第２のシートとの貼着面に表示された第１のコードが視認可能な状態となる。ここで、第１のコードと第２のコードとは、共に第１のシートの第２のシートとの貼着面に表示されているため、これらが同時に印字されることとなり、マッチングミスが回避される。
【００１０】
また、剥離片部が第２のシートから剥離された状態でも、連結部にて剥離片部が第１のシートの他の領域と連結した構成とすることにより、第１のコードを視認可能な状態とした後においても、剥離片部が第１のシートから分離せずに一体化した状態が保たれる。
【００１１】
また、第１のシートが、２枚のシートが貼着されて構成されていれば、第１のシートに対する情報の印字を困難にすることなく、第１のシートやサービス提供用シート全体の厚さを、一般的な紙片よりも厚くすることができる。
【発明の効果】
【００１２】
本発明によれば、互いに対応づけられた第１のコードと第２のコードとが、共に第１のシートの第２のシートとの貼着面に表示されており、剥離片部が第２のシートから剥離されていない状態においては、第１のコードは第１のシートによって視認不可能となっており、また、第２のコードは第２のシートに設けられた孔部を介して視認可能となっているため、剥離片部が第２のシートから剥離される前の状態において、第１のコードを視認不可能としながらも第２のコードを視認可能な状態とすることができるとともに、第１のコードと第２のコードとのマッチングミスを回避することができる。
【００１３】
また、第１のシートが、剥離片部が第２のシートから剥離された状態でも剥離片部を第１のシートの他の領域と分離せずに連結する連結部を有するものにおいては、第１のコードを視認可能な状態とした後においても、剥離片部を第１のシートから分離させずに保持しておくことができる。
【００１４】
また、第１のシートが、２枚のシートが貼着されて構成されているものにおいては、第１のシートに対する情報の印字を困難にすることなく、第１のシートやサービス提供用シート全体の厚さを、一般的な紙片よりも厚くすることができる。
【図面の簡単な説明】
【００１５】
【図１】本発明のサービス提供用シートの第１の実施の形態を示す図であり、（ａ）は表面図、（ｂ）は裏面図、（ｃ）は（ａ）に示したＡ−Ａ’断面図、（ｄ）は（ｂ）に示したＢ−Ｂ’断面図、（ｅ）は裏面側から見た斜視図である。
【図２】図１に示したサービス提供用シートの分解図であり、（ａ）は上紙の表面図、（ｂ）は上紙の裏面図、（ｃ）は下紙の表面図、（ｄ）は下紙の裏面図、（ｅ）は裏台紙の表面図、（ｆ）は裏台紙の裏面図である。
【図３】図１及び図２に示したサービス提供用シートの製造方法を説明するための図である。
【図４】図１及び図２に示したサービス提供用シートが使用される環境を示す図である。
【図５】図４に示した環境における図１及び図２に示したサービス提供用シート１の使用方法を説明するためのフローチャートである。
【図６】図１及び図２に示したサービス提供用シートの使用状態を示す図である。
【図７】本発明のサービス提供用シートの第２の実施の形態を示す図であり、（ａ）は表面図、（ｂ）は裏面図、（ｃ）は（ａ）に示したＡ−Ａ’断面図、（ｄ）は（ｂ）に示したＢ−Ｂ’断面図、（ｅ）は裏面側から見た斜視図である。
【図８】図７に示したサービス提供用シートの分解図であり、（ａ）は上紙の表面図、（ｂ）は上紙の裏面図、（ｃ）は下紙の表面図、（ｄ）は下紙の裏面図、（ｅ）は裏台紙の表面図、（ｆ）は裏台紙の裏面図である。
【図９】図７及び図８に示したサービス提供用シートの使用状態を示す図である。
【発明を実施するための形態】
【００１６】
以下に、本発明の実施の形態について図面を参照して説明する。
【００１７】
（第１の実施の形態）
図１は、本発明のサービス提供用シートの第１の実施の形態を示す図であり、（ａ）は表面図、（ｂ）は裏面図、（ｃ）は（ａ）に示したＡ−Ａ’断面図、（ｄ）は（ｂ）に示したＢ−Ｂ’断面図、（ｅ）は裏面側から見た斜視図である。
【００１８】
本形態のサービス提供用シート１は図１に示すように、その外形が同一である上紙１１、下紙１２及び第２のシートとなる裏台紙２０が互いに貼着され、その一部に表裏貫通した孔部３ａが設けられて構成されている。上紙１１と下紙１２とは粘着剤５０によって貼着され、下紙１２と裏台紙２０とは擬似接着剤４０及び剥離ニス３０によって剥離可能に貼着されており、上紙１１と下紙１２とによって第１のシートとなる表台紙１０が構成されている。
【００１９】
表台紙１０には、円形にミシン目５が形成され、このミシン目５によって、剥離片部となるコイン２が分離可能に区画形成されている。裏台紙２０には、表裏貫通した孔部３ｂが設けられており、下紙１２に表示されたＰＯＳコード４ｂが孔部３ｂから表出して視認可能となっている。また、裏台紙２０には、このサービス提供用シート１の利用方法を示す通知情報２１ａが表示されている。
【００２０】
以下に、上述した上紙１１、下紙１２及び裏台紙２０の詳細な構成、並びに貼着構造について説明する。
【００２１】
図２は、図１に示したサービス提供用シート１の分解図であり、（ａ）は上紙１１の表面図、（ｂ）は上紙１１の裏面図、（ｃ）は下紙１２の表面図、（ｄ）は下紙１２の裏面図、（ｅ）は裏台紙２０の表面図、（ｆ）は裏台紙２０の裏面図である。
【００２２】
図２（ａ）〜（ｄ）に示すように、上紙１１及び下紙１２からなる表台紙１０には円形にミシン目５が形成されており、それにより、コイン２が分離可能に区画形成されている。
【００２３】
上紙１１の裏面、すなわち下紙１２との貼着面には、図２（ｂ）に示すように、その全面に粘着剤５０が塗布されており、また、下紙１１の表面、すなわち上紙１１との貼着面には、図２（ｃ）に示すように、その全面に粘着剤５０が塗布されており、上紙１１と下紙１２とがこの粘着剤５０によって貼着されている。
【００２４】
下紙１２の裏面、すなわち裏台紙２０との貼着面には、図２（ｄ）に示すように、第１のコードとなるＰＩＮコード４ａと、第２のコードとなるＰＯＳコード４ｂとが表示されている。これらＰＩＮコード４ａとＰＯＳコード４ｂとは、後述するが互いに対応づけられたものとなっている。ＰＩＮコード４ａはコイン２の裏台紙２０との貼着面に表示されており、ＰＯＳコード４ｂは、コイン２以外の領域の裏台紙２０との貼着面に表示されている。また、下紙１２の裏台紙２０との貼着面には、コイン２及びコイン２以外の領域のそれぞれに、ミシン目５に沿って一定の幅を有して剥離ニス３０が塗布されている。なお、下紙１２の裏面に剥離ニス３０を塗布した後にＰＩＮコード４ａを印字できるように、剥離ニス３０に囲まれた領域は少なくともＰＩＮコード４ａを印字する領域よりも広いことが好ましい。
【００２５】
裏台紙２０には、図２（ｅ），（ｆ）に示すように表裏貫通した孔部３ｂが設けられている。この孔部３ｂは、裏台紙２０が下紙１２と貼着された場合にＰＯＳコード４ｂと対向する領域に設けられている。裏台紙２０の下紙１２との貼着面には、図２（ｅ）に示すように、裏台紙２０が下紙１２と貼着された場合にコイン２と対向する領域に通知情報２１ｂが表示されているとともに、下紙１２の剥離ニス３０に囲まれた領域に対向する領域を除く全面に擬似接着剤４０が塗布されている。裏台紙２０の裏面には、このサービス提供用シート１の利用方法を示す通知情報２１ａが表示されている。
【００２６】
以下に、上記のように構成されたサービス提供用シート１の製造方法について説明する。
【００２７】
図３は、図１及び図２に示したサービス提供用シート１の製造方法を説明するための図である。
【００２８】
図１及び図２に示したサービス提供用シート１は、図３に示すように、上紙１１と下紙１２と裏台紙２０とがそれぞれ連続状となって供給され、互いに貼着された後に単片状に断裁されることによって製造される。
【００２９】
上紙１１、下紙１２及び裏台紙２０のそれぞれは、図３に示すように、連続状となってローラ６０ａ〜６０ｃから引き出され、ＰＩＮコード４ａやＰＯＳコード４ｂ、通知情報２１ａ，２１ｂ等が印字され、また、上紙１１においては下紙１２との貼着面に粘着剤５０が塗布され、下紙１２においては、上紙１１との貼着面に粘着剤５０が塗布されるとともに、裏台紙２０との貼着面に剥離ニス３０が塗布され、裏台紙２０においては下紙１２との貼着面に擬似接着剤４０が塗布され、一対のローラ６１ａ，６１ｂが対向する領域に搬送されていく。
【００３０】
この際、ＰＩＮコード４ａとＰＯＳコード４ｂとは、互いに対応づけられたものであるが、共に下紙１２の裏台紙２０との貼着面に同時に印字されるため、これらのマッチングミスを回避することができる。
【００３１】
ここで、上述したように本形態におけるサービス提供用シート１は、コイン２が裏台紙２０から剥離されて表台紙１０から分離されるものである。そして、分離したコイン２を後述するように利用することになるが、コイン２の形状を維持して利用可能とするためには、コイン２はある程度の厚さが必要となる。一方、コイン２に情報を印字する場合には表台紙１０がプリンタ内を湾曲しながら搬送されることになるため、表台紙１０が厚い場合、表台紙１０を搬送しにくくなってしまい正確な印字が行われなくなる虞れがある。そこで、表台紙１０を上紙１１と下紙１２とに分けておき、これら上紙１１と下紙１２のそれぞれに情報が印字された後、上紙１１と下紙１２とを貼着して表台紙１０を構成することにより、正確な印字を行いながらもコイン２としてある程度の厚さを確保することができる。例えば、上紙１１及び下紙１２としてそれぞれ１３５ｋｇ連量のものを用いれば、表台紙１０として、２７０ｋｇ連量のものを得ることができる。
【００３２】
上紙１１、下紙１２及び裏台紙２０のそれぞれが、一対のローラ６１ａ，６１ｂが対向する領域に搬送されると、これら上紙１１、下紙１２及び裏台紙２０がローラ６１ａ，６１ｂによって挟まれながら搬送されることにより、互いに貼着される。
【００３３】
その後、断裁部６２において、互いに貼着された連続状の上紙１１、下紙１２及び裏台紙２０が単片状に断裁される。この際、孔部３ａ，３ｂ及びミシン目５も同時に形成されることになる。
【００３４】
単片状に断裁されたサービス提供用シート１は、表台紙１０と裏台紙２０とが、その外形が同一であり、表台紙１０からコイン２が分離されていない状態においてＰＯＳコード４ｂを視認可能とする構成が、裏台紙２０に設けられた孔部３ｂであるため、全体の平坦性が損なわれることがない。そのため、例えば、単片状に断裁された状態で積み重ねて保管された場合においても、不安定となることがなく保管しやすい。また、積み重ねて保管しない場合においても、搬送等の際に、ＰＩＮコード４ａを視認不可能としておくための隠蔽ラベル等が手等に引っかかって捲れ上がってしまうことがない。なお、上述したように平坦性を確保するためには、単片状に断裁されたサービス提供用シート１の表台紙１０と裏台紙２０との外形を完全に同一にしなくても、若干異なる場合も含む略同一とすればよい。
【００３５】
以下に、上述したサービス提供用シート１の使用方法について説明する。
【００３６】
図４は、図１及び図２に示したサービス提供用シート１が使用される環境を示す図であり、図５は、図４に示した環境における図１及び図２に示したサービス提供用シート１の使用方法を説明するためのフローチャートである。
【００３７】
図１及び図２に示したサービス提供用シート１は、図４に示すように、コイン２を用いてサービスを提供するサービス提供サーバ７２と、通信回線７４を介してサービス提供サーバ７２と接続可能なＰＯＳ端末７１及び携帯端末７３とを有してなる環境で使用される。
【００３８】
まず、利用者がサービス提供用シート１を購入する際、その店舗に設置されたＰＯＳ端末７１においてＰＯＳコード４ｂが読み取られる（ステップ１）。この際、表台紙１０が上紙１１と下紙１２との２枚のシートが貼着されて構成されていることによって２枚のシート分の厚さを有しているため、シートとしての腰が強くなり、サービス提供用シート１が撓んでＰＯＳコード４ｂが読み取りにくくなることが回避される。ＰＯＳコード４ｂは、上述したように、コイン２が裏台紙２０から剥離される前の状態においても、裏台紙２０に設けられた孔部３ｂを介して表出して視認可能となっているため、ＰＯＳ端末７１にて読み取ることができる。また、コイン２が裏台紙２０から剥離される前の状態の状態においては、ＰＩＮコード４ａは裏台紙２０によって視認不可能となっている。なお、サービス提供用シート１は、表裏貫通した孔部３ａを用いて吊り下げられる等して店舗に陳列されている。
【００３９】
サービス提供用シート１から読み取られたＰＯＳコード４ｂは、ＰＯＳ端末７１から送信され（ステップ２）、通信回線７４を介してサービス提供サーバ７２にて受信される（ステップ３）。
【００４０】
サービス提供サーバ７２においては、販売されているサービス提供用シート１の表台紙１０に表示されたＰＯＳコード４ｂとＰＩＮコード４ａとがサービス提供用シート１毎に対応づけて管理されており、ＰＯＳコード４ｂが受信されると、受信したＰＯＳコード４ｂについて、サービスを利用可能であることを示す利用可能フラグが“１”に設定され、ＯＮ状態となる（ステップ４）。
【００４１】
その後、サービス提供用シート１を購入した利用者によって、携帯端末７３がサービス提供サーバ７２にアクセスした状態において、サービス提供用シート１のコイン２に表示されたＰＩＮコード４ａが携帯端末７３に入力されて送信されると（ステップ５）、このＰＩＮコード４ａが通信回線７４を介してサービス提供サーバ７２にて受信される（ステップ６）。
【００４２】
図６は、図１及び図２に示したサービス提供用シート１の使用状態を示す図である。
【００４３】
図１及び図２に示したサービス提供用シート１においては、コイン２がミシン目５によって表台紙１０から分離可能に区画形成されているとともに、剥離ニス３０及び擬似接着剤４０によって裏台紙２０から剥離可能となっているため、サービス提供用シート１を購入した利用者は、図６（ａ）に示すように、ミシン目５を破断することでコイン２を表台紙１０から分離していき裏台紙２０から剥離することができる。
【００４４】
すると、図６（ｂ）に示すように、コイン２の裏台紙２０との貼着面に表示されたＰＩＮコード４ａが視認可能な状態となり、利用者はこのＰＩＮコード４ａを携帯端末７３に入力することになる。
【００４５】
また、コイン２が裏台紙２０から剥離されると、図６（ｃ）に示すように、裏台紙２０の表台紙１０との貼着面に表示された通知情報２１ｂが視認可能な状態となる。
【００４６】
サービス提供サーバ７２においては、携帯端末７３から送信されてきたＰＩＮコード４ａが受信されると、まず、ＰＩＮコード４ａに対応づけられたＰＯＳコードが検索される（ステップ７）。サービス提供サーバ７２においては、上述したように、販売されているサービス提供用シート１毎に、表台紙１０に表示されたＰＯＳコード４ｂとＰＩＮコード４ａとが対応づけて管理されているため、受信したＰＩＮコード４ａに対応づけられたＰＯＳコードを検索することができる。
【００４７】
そして、検索されたＰＯＳコードについての利用可能フラグが“１”に設定されてＯＮ状態となっているかが確認される（ステップ８）。サービス提供用シート１が購入されると、上述したようにそのサービス提供用シート１の表台紙１０に表示されたＰＯＳコード４ｂがＰＯＳ端末７１にて読み取られ、サービス提供サーバ７２にてそのＰＯＳコード４ｂについての利用可能フラグが“１”に設定されてＯＮ状態となるため、検索されたＰＯＳコードについての利用可能フラグが“１”に設定されてＯＮ状態となっている場合は、サービス提供用シート１が正規に購入されたものであることとなり、サービス提供サーバ７２から携帯端末７３にサービスが提供され（ステップ９）、利用者は携帯端末７３においてサービスを利用することになる（ステップ１０）。
【００４８】
また、検索されたＰＯＳコードについての利用可能フラグが“１”に設定されておらずにＯＮ状態となっていない場合は、サービス提供用シート１が正規に購入されたものではないため、サービスを利用不可能である旨のメッセージがサービス提供サーバ７２から送信される（ステップ１１）。
【００４９】
サービス提供サーバ７２から送信された、サービスを利用不可能である旨のメッセージは通信回線７４を介して携帯端末７３にて受信され、表示出力される（ステップ１２）。
【００５０】
このように、サービス提供用シート１を購入した利用者は、コイン２が表台紙１０から分離して裏台紙２０から剥離することによって視認可能となったＰＩＮコード４ａを用いてサービスを利用することができる。またその際、コイン２が上紙１１と下紙１２との２枚のシートが貼着されて構成されているため、コイン２としての形状を維持して利用することができる。
【００５１】
なお、上述した一連の手順はサービス提供用シート１を利用する環境の一例であり、サービス提供用シート１を利用する環境はこれに限定されるものではない。
【００５２】
（第２の実施の形態）
図７は、本発明のサービス提供用シートの第２の実施の形態を示す図であり、（ａ）は表面図、（ｂ）は裏面図、（ｃ）は（ａ）に示したＡ−Ａ’断面図、（ｄ）は（ｂ）に示したＢ−Ｂ’断面図、（ｅ）は裏面側から見た斜視図である。また、図８は、図７に示したサービス提供用シート１０１の分解図であり、（ａ）は上紙１１１の表面図、（ｂ）は上紙１１１の裏面図、（ｃ）は下紙１１２の表面図、（ｄ）は下紙１１２の裏面図、（ｅ）は裏台紙１２０の表面図、（ｆ）は裏台紙１２０の裏面図である。
【００５３】
本形態のサービス提供用シートは図７に示すように、第１の実施の形態に示したものに対して、剥離片部として、裏台紙１２０から剥離した際に立ち上がった状態で保持されるフィギュア部１０２を有している点が異なるものである。
【００５４】
フィギュア部１０２は、第１の実施の形態にて示したコイン２と同様にミシン目１０５に囲まれて構成されているが、その全周のうち一部がミシン目ではなく、連結部となる折り線１０６によって囲まれている。なお、折り線１０６は、すじ押し加工やミシン目から構成することが考えられる。
【００５５】
上記のように構成されたサービス提供用シート１０１においても、第１の実施の形態にて示したものと同様の環境下で同様にして使用されることになる。
【００５６】
図９は、図７及び図８に示したサービス提供用シート１０１の使用状態を示す図である。
【００５７】
図７及び図８に示したサービス提供用シート１０１においても、利用者が購入する際、裏台紙１２０の孔部１０３ｂから視認可能となったＰＯＳコード１０４ｂが読み取られることにより、サービスの利用が可能となる。
【００５８】
そして、サービス提供用シート１０１を購入した利用者が、図９（ａ）に示すように、ミシン目１０５を破断していくことにより、フィギュア部１０２が裏台紙１２０から剥離されていく。
【００５９】
その後、ミシン目１０５が完全に破断され、フィギュア部１０２が裏台紙１２０から剥離されると、フィギュア部１０２は、折り線１０６にて表台紙１１０の他の領域と分離せずに連結していることで、折り線１０６を起点として表台紙１１０が折り曲げられることにより、図９（ｂ）に示すように、フィギュア部１０２が立ち上がった状態となる。この際、表台紙１１０が上紙１１１と下紙１１２との２枚のシートが貼着されて構成されているため、シートとしての腰が強くなり、フィギュア部１０２が立ち上がった状態が保持される。
【００６０】
すると、フィギュア部１０２の裏台紙１２０との貼着面に表示されたＰＩＮコード１０４ａが視認可能な状態となり、利用者は、視認可能となったＰＩＮコード１０４ａを携帯端末７３に入力してサービス提供サーバ７２に送信することにより、サービス提供サーバ７２から提供されるサービスを利用することになる。
【００６１】
このように、サービス提供用シート１０１を購入した利用者は、ミシン目１０５を破断し、フィギュア部１０２を裏台紙１２０から剥離して立ち上げることによって視認可能となったＰＩＮコード１０４ａを用いてサービスを利用することができる。そして、ＰＩＮコード１０４ａを視認するためにフィギュア部１０２を裏台紙１２０から剥離するという作業によってフィギュア部１０２がサービス提供用シート１０１から分離せずに立ち上がり、この立ち上がった状態が保持されることでサービス提供用シート１０１がペーパーフィギュアともなるため、このペーパーフィギュアを収集するという面からもサービス提供用シート１０１の購買意欲が掻き立てられる。
【００６２】
なお、上述した実施の形態においては、コイン２やフィギュア部１０２の周囲にミシン目５，１０５を設け、コイン２やフィギュア部１０２を裏台紙２０，１２０から剥離する際にこのミシン目５，１０５を破断する構成を例に挙げて説明したが、ミシン目５，１０５の代わりにスリットを設けてもよい。
【符号の説明】
【００６３】
１，１０１    サービス提供用シート
２    コイン
３ａ，３ｂ，１０３ａ，１０３ｂ    孔部
４ａ，１０４ａ    ＰＩＮコード
４ｂ，１０４ｂ    ＰＯＳコード
５，１０５    ミシン目
１０，１１０    表台紙
１１，１１１    上紙
１２，１１２    下紙
２０，１２０    裏台紙
２１ａ，２１ｂ，１２１ａ    通知情報
３０，１３０    剥離ニス
４０，１４０    擬似接着剤
５０，１５０    粘着剤
６０ａ〜６０ｃ，６１ａ，６１ｂ    ローラ
６２    断裁部
７１    ＰＯＳ端末
７２    サービス提供サーバ
７３    携帯端末
７４    通信回線
１０２    フィギュア部
１０６    折り線
【図１】
2015186878.tif 000003
【図２】
2015186878.tif 000004
【図３】
2015186878.tif 000005
【図４】
2015186878.tif 000006
【図５】
2015186878.tif 000007
【図６】
2015186878.tif 000008
【図７】
2015186878.tif 000009
【図８】
2015186878.tif 000010
【図９】
2015186878.tif 000011